(57)【要約】【課題】部品点数を減らし遊技盤の装着を容易にする。【解決手段】前面枠３の後面に遊技盤１０を着脱自在に収容する遊技盤保持枠１１を設け、前記前面枠３の前面に透明板扉枠４が開閉自在に装着され、前記前面枠３の裏面にシリンダ錠５２を操作することにより上下に摺動する作動杆５５が設けられ、前記作動杆５５には該作動杆５５から突出すると共にその突出方向に対して交差した係止部６０ａ，６１ａを設けて先端を鉤状にした扉枠用突片６０及び遊技盤用突片６１とを設け、他方前記透明板扉枠４には前記扉枠用突片６０の係止部６０ａが係止される係受部２０を形成すると共に前記遊技盤１０には前記遊技盤用突片６１の係止部６１ａが係止される係受部２８を形成し、前記遊技盤用突片６１の係止部６１ａと前記遊技盤１０の係受部２８の係止量を前記扉枠用突片６０の係止部６０ａと前記透明板扉枠４の係受部２０の係止量より大きく設定した。【選択図】図１０
2005287838.tif 000002
【特許請求の範囲】
【請求項１】
機枠の前面に開閉自在に軸支した前面枠と、前記前面枠の前面に開閉自在に軸支した透明板扉枠と、前記前面枠側に取付けられて該前面枠と前記透明板扉枠とを係脱する施錠装置と、前記前面枠の後面ほぼ中央に設けられ前後に開口する遊技盤保持枠と、前記遊技盤保持枠の開口周縁から前記開口の中心に向かって延出する支持部によって表面又は裏面のいずれかが支持される遊技盤とを備えたパチンコ機であって、
前記施錠装置は、前記前面枠の後面自由端側に固設される縦長の基板と、前記基板から前記前面枠の前面側に露呈するように設けられたシリンダ錠と、前記シリンダ錠の操作に連動して前記基板に沿って摺動する作動杆とを備え、
前記作動杆には該作動杆から突出すると共にその突出方向に対して交差した係止部を設けて先端を鉤状にした扉枠用突片及び遊技盤用突片とを設け、他方、前記透明板扉枠には前記扉枠用突片の係止部が係止される係受部を形成すると共に前記遊技盤には前記遊技盤用突片の係止部が係止される係受部を形成し、前記遊技盤用突片の係止部と前記遊技盤の係受部の係止量を前記扉枠用突片の係止部と前記透明板扉枠の係受部の係止量より大きく設定したことを特徴とするパチンコ機。
【請求項２】
前記遊技盤保持枠の支持部と前記遊技盤用突片の係止部との間隔を前記遊技盤の厚みより大きく設定すると共に、前記透明板扉枠に弾性を備えた押え部材を遊技盤の厚み方向へ突設し、前記押え部材により前記遊技盤を押圧しうるようにしたことを特徴とする請求項１記載のパチンコ機。
【発明の詳細な説明】
【技術分野】
【０００１】
本発明は、遊技盤が遊技盤保持枠に着脱自在に設けられるパチンコ機に関するものである。
【背景技術】
【０００２】
従来のパチンコ機は、前面枠に遊技盤が着脱自在に装着される取付枠が設けられ、該取付枠に遊技盤を回動式の固定具により固定するようにしている。また、前面枠の前面に透明板扉枠が開閉自在に装着され、前面枠及び透明板扉枠の自由端を施錠装置によって施錠し得るようにしている。そして、その施錠装置は、シリンダ錠の操作に伴って摺動自在に可動する可動板に設けられる鉤片の係脱により、前面枠又は透明板扉枠を開閉するようにしている（例えば、特許文献１参照。）。
【特許文献１】特開平６−１３４１２４号公報
【発明の開示】
【発明が解決しようとする課題】
【０００３】
しかし、従来のパチンコ機は、遊技盤を別途設けた複数の固定具により固定するようにしているため、部品点数が多くなりコスト高となるという問題がある。そして、遊技盤を固定具だけで固定しているため、遊技盤を取付枠に装着する際に、片手で遊技盤を押えながら固定具を操作しなければならず面倒であり、しかも遊技盤を固定するために複数の固定具を操作しなければならず、遊技盤の取付け作業が極めて繁雑なものとなっていた。
【０００４】
また、施錠装置側に固定具を設けるには施錠装置との干渉を避けるため、どうしても固定具を取付枠の端部から離して設けることになるため、遊技領域が制限されていた。そのため、近年、遊技のマンネリ化を打破するために表示装置の大型化が望まれているが、固定具の取付位置に規制されて遊技領域を大きくすることができず、表示装置の大型化に対応できないという問題がある。
【課題を解決するための手段】
【０００５】
そこで、上記課題を解決するために、請求項１記載の発明は、機枠の前面に開閉自在に軸支した前面枠と、前記前面枠の前面に開閉自在に軸支した透明板扉枠と、前記前面枠側に取付けられて該前面枠と前記透明板扉枠とを係脱する施錠装置と、前記前面枠の後面ほぼ中央に設けられ前後に開口する遊技盤保持枠と、前記遊技盤保持枠の開口周縁から前記開口の中心に向かって延出する支持部によって表面又は裏面のいずれかが支持される遊技盤とを備えたパチンコ機であって、前記施錠装置は、前記前面枠の後面自由端側に固設される縦長の基板と、前記基板から前記前面枠の前面側に露呈するように設けられたシリンダ錠と、前記シリンダ錠の操作に連動して前記基板に沿って摺動する作動杆とを備え、前記作動杆には該作動杆から突出すると共にその突出方向に対して交差した係止部を設けて先端を鉤状にした扉枠用突片及び遊技盤用突片とを設け、他方前記透明板扉枠には前記扉枠用突片の係止部が係止される係受部を形成すると共に前記遊技盤には前記遊技盤用突片の係止部が係止される係受部を形成し、前記遊技盤用突片の係止部と前記遊技盤の係受部の係止量を前記扉枠用突片の係止部と前記透明板扉枠の係受部の係止量より大きく設定したことを特徴とする。すなわち、遊技盤用突片の係止部の遊技盤への係合深度と、扉枠用突片の係止部の透明板扉枠への係合深度を異ならせている点に特徴を有している。そして、前記遊技盤用突片は前記作動杆を前記扉枠用突片の解錠方向と同一方向であり該扉枠用突片と透明板扉枠の係受部との解錠範囲を越して摺動操作させることにより連動して前記遊技盤の係受部との係合が解除され該遊技盤が前記遊技盤保持枠から取外されるようにした。
【０００６】
請求項２記載の発明は、請求項１記載の発明において、前記遊技盤保持枠の支持部と前記遊技盤用突片の係止部との間隔を前記遊技盤の厚みより大きく設定すると共に前記透明板扉枠に弾性を備えた押え部材を遊技盤の厚み方向に突設し、前記押え部材により前記遊技盤を押圧するようにしたことを特徴とする。
【０００７】
前記基板と摺動杆との間に該摺動杆を施錠方向に付勢する弾性部材を設けるのが好ましい。
【０００８】
前記遊技盤の係受部は遊技盤の一側に切欠きして設けるのが好ましい。
【０００９】
また、前記遊技盤用突片の係止部の長さを前記扉枠用突片の係止部の長さより長く形成して、係止量を異ならせるようにするのが好ましい。
【００１０】
前記遊技盤用突片の係止部が係止し得る遊技盤の係受部の長さを前記扉枠用突片の係止部が係止し得る透明板扉枠の係受部の長さより長く形成し、係止量を異ならせるようにするのが好ましい。
【００１１】
前記遊技盤保持枠に側方が開放したコ字状の保持部を設け、前記遊技盤の他側を前記保持部で保持するようにするのがよく、好ましくは、前記保持部に前記遊技盤の前面又は後面の少なくともいずれか一方の面を押圧する弾性部材を設けて確実に遊技盤を挟着させるのがよい。
【００１２】
前記遊技盤用突片の係止部を面状に形成すると共に該係止部に遊技盤との接触摩擦抵抗を軽減する軽摩擦手段を設けるもが好ましい。ここでいう軽摩擦手段は、ローラ又はベアリング等である。
【００１３】
前記遊技盤用突片の先端にテーパー状のガイド部を形成し、遊技盤を遊技盤用突片に押さえつけることで係受部がガイド部に接触して、付勢部材の付勢に抗して摺動杆を摺動させ、遊技盤用突片を係受部に係合させることができる。また、ガイド部を面状に形成して遊技盤との接触面積を多くするのが好ましく、遊技盤用突片を遊技盤に係止しやすくすることができる。
【００１４】
前記シリンダ錠にカム板を設けると共にカム板の解錠範囲を規制するストッパを設けるのが好ましく、このようにすることにより、前面枠又は透明板扉枠の解錠位置を規制し、シリンダ錠の操作によって前面枠又は透明板扉枠を解錠しても遊技盤が無用に外れることがない。
【００１５】
また、前記作動杆には該作動杆から突出すると共にその突出方向に対して交差した係止部を設けて先端を鉤状にした機枠用突片及び遊技盤用突片とを設け、前記機枠には前記機枠用突片の係止部が係止される係受部を形成すると共に、前記遊技盤には前記遊技盤用突片の係止部が係止する係受部を形成し、前記遊技盤用突片の係止部と前記遊技盤の係受部の係止量を前記機枠用突片の係止部と前記機枠の係受部の係止量より大きく設定するようにしてもよい。
【発明の効果】
【００１６】
本発明のパチンコ機は、前面枠又は透明板扉枠の自由端を施錠する施錠装置に、遊技盤の一側に係脱する係止手段を設けることにより、遊技盤を固定する部品点数を減らしてコストの低減化を図ると共に、遊技盤取付けの作業性を向上させることができる。
【実施例１】
【００１７】
以下に、本発明に係るパチンコ機の実施例を、図面を参照しつつ説明する。図１はパチンコ機の正面図、図２はパチンコ機の裏面図、図３は前面枠及び機構板を開放した状態のパチンコ機の斜視図である。パチンコ機１は、縦長な方形状に枠組み形成される機枠２の一側に、上下一対のヒンジ機構により前面枠３が水平方向に開閉自在に軸支され、前面枠３の前面には透明板扉枠４が開閉自在に軸支され、前面枠３及び透明板扉枠４の開放側は施錠装置５により施錠される。そして、透明板扉枠４の下方には前板６を介して打球供給用の上部球受皿７が取付けられて、その下部には上部球受皿７から溢出するパチンコ球を貯留する下部球受皿８及びパチンコ球の弾発力を調節する操作ハンドル９が設けられている。また、前面枠３の後面ほぼ中央には遊技盤１０が着脱自在に装着される遊技盤保持枠１１が、合成樹脂により一体に形成され、その裏面には、遊技盤１０のほぼ全体を覆うように、合成樹脂製の機構板１２が装着されている。
【００１８】
前記機枠２は、図３に示すように上下左右の枠板により矩形に枠組され、その下部前面に補強用の腰板２ａが横設されており、前面枠３を閉じた状態で該腰板２ａの上端面と前面枠３の下端面とが重合するように構成されている。そして、機枠２の右枠板２ｂ内側面の上下位置には前面枠３を閉止状態に係止する係受部としての受金具１４，１４が取付けられている。
【００１９】
前記透明板扉枠４は、図１及び図４に示すように透明板としてのガラス板１５を介して遊技盤１０が視認できるように額縁状に形成されており、枠体１６と、該枠体１６の前面に取付けられる装飾カバー体１７とにより大略構成される。そして、枠体１６の裏面側には上方が開放したコ字形の保持枠材１８が取付けられ、該保持枠材１８にはガラス板１５が複数嵌るガラス挿入溝１８ａ，１８ａが設けられている。装飾カバー体１７の周縁には不正防止用リブ１９が設けられ、前面枠３の突堤に対向して設けることにより針金等が侵入するクリアランスをなくし、針金等の異物を突っ込んで遊技機内を操作する不正行為を防止する。また、透明板扉枠４の自由端側に透明板扉枠４を閉止する係受部としての係止孔２０が形成されると共に、枠体１６の適宜位置に遊技盤１０を厚み方向に押圧する押え部材２１を設けている。本実施例では、押え部材２１は筒体に押圧突体がスプリングの付勢により進退自在に設けられている。なお、押え部材２１は、スプリング，板ばね単体であってもゴム，弾発性を有する樹脂片であってもよい。また、押え部材２１は複数箇所に設け、遊技盤１０を確実に固定するのが好ましい。なお、係受部は係止孔２１に限定されるものではなく、保持枠材１８の側方に係止片を設けるようにしてもよい。
【００２０】
前記遊技盤保持枠１１は、図４に示すように遊技盤１０の下端を支持する下部側枠１１ｂと、遊技盤１０の上部及び左右両側をそれぞれ支持する上部側枠１１ａ及び左右側枠１１ｃ，１１ｄとにより前後に開口した額縁状に形成されており、遊技盤１０が収容される設置領域２２が遊技盤１０より僅かに大きく形成されている。そして、遊技盤１０を前面側から装着する際に裏面側が支持される支持部として、設置領域２２の後方周縁に前記開口の中心に向う短幅の支持片２３が形成され、該支持片２３の前面側にて遊技盤１０の裏面側が位置規制されて、遊技盤１０の前面位置が遊技盤保持枠１１の下側枠１１ｂの前面位置に正確に一致するように構成されている。なお、左右側枠１１ｃ，１１ｄの一部は支持片２３と共に切欠かれ開口２４が形成されている。そして、左側枠１１ｃの外側に沿って機構板１２のヒンジ具１３が設けられ、右側枠１１ｄの外側に沿って前記施錠装置５が設けられる。また、下側枠１１ｂの前面には後述する遊技盤１０のガイドレール２５に連通する発射レール２６及びファール球樋２７が設けられている。
【００２１】
前記遊技盤１０は、図４に示すように所定厚さを有してほぼ方形状に形成され、一側（遊技盤１０を正面視して右側）上下に切欠きして係受部２８が形成されている。そして、遊技盤１０の前面に発射レール２６から発射された遊技球を案内するガイドレール２５により遊技領域１０ａがほぼ円形に形成され、該遊技領域１０ａに一般入賞口２９や可変表示装置３０の図柄を変動させるチューリップタイプの始動入賞口３１、また可変表示装置３０が所定の図柄で停止することにより開放する大入賞口３２等が設けられている。なお、係受部２８は切欠きに限らず開口としてもよい。
【００２２】
また、前記機構板１２は、前面枠３と同側をヒンジ具１３により軸支して着脱開閉自在に装着され、自由端側に機構板１２を閉止する係受部としての係合孔３４を設けている。そして、遊技盤１０の裏面と相対する位置に開口窓部３５が開設され、開口窓部３５の下方には、球払出制御基板３６及び大型の基板ボックス３７が設けられる板状部材３８が開閉自在に設けられ、該基板ボックス３７にはパチンコ機１全体の遊技動作を制御する遊技制御基板が収納されている。
【００２３】
前記ヒンジ具１３は、図５乃至図７に示すように前面枠３側に取着される上下固定ヒンジ部材３９と機構板１２側に取着される上下可動ヒンジ部材４０とにより構成されている。そして、上下固定ヒンジ部材３９は鋼やステンレス等の金属により断面Ｌ字型に形成された連結部材４１の上部及び下部に一体的に形成され、上下可動ヒンジ部材４０は鋼やステンレス等の金属製の補強フレーム４２の上部及び下部に一体的に形成されている。この実施例において、固定ヒンジ部材３９には軸孔４３が開設され、可動ヒンジ部材４０には前記軸孔４３に嵌挿される軸ピン４４が垂下されている。なお、ヒンジ具１３は、この実施例に限ることなく、固定ヒンジ部材３９に上向の軸ピン４４を設け、可動ヒンジ部材４０に軸孔４３を開設するようにしてもよい。また、補強フレーム４２の下方には前記板状部材３８を開閉自在に軸支する軸支部４５が形成され、その近傍に板状部材３８を軸支しやすいように位置決め誘導するガイド部４６が形成されている。
【００２４】
前記連結部材４１は、図６に示すようにＬ字型の一側片４１ａが遊技盤保持枠１１の設置領域２２の後方に臨むように形成され、前記遊技盤保持枠１１の開口２４から針金等の不正具を挿入して行われる不正を防止するようにしている。そして、前記遊技盤保持枠１１の開口２４に対応位置すると共に遊技盤１０の前面に対応して、連結部材４１が平面視してコ字状になるように屈曲片４７が形成され、該屈曲片４７に遊技盤１０の前面を押圧する弾性片４８がビス着又は溶着により設けられている。弾性片４８は、図６に示すように０．８〜１．０ｍｍの厚さの金属板を鋭角に曲折すると共に先端を逆方向に曲折して断面略変形Ｚ状となるように形成されている。そして、弾性片４８の折曲先端は、屈曲片４７の端部より内方に位置して設けられている。また、固定ヒンジ部材３９に対応位置して、可動ヒンジ部材４０が接触し、軸ピン４４の軸線が軸孔４３内に位置するように位置決めするガイド部４９が、固定ヒンジ部材３９と所定間隔（軸ピン４４の長さ以下）を隔てて設けられ、軸孔４３に対する軸ピン４４のガイド部４９と連結部材４１とで形成されるＬ字型のコーナー部に、可動ヒンジ部材４０を当接させることにより軸ピン４４と軸孔４３の位置決めがなされ、機構板１２を簡単に軸支することができる。なお、下方のガイド部４９には機枠２の後面又は機枠２に形成される係合部に係止するＬ型の係止片５０を延設している。この係止片５０は、前面枠３の軸支側を手前に引張って撓ませてその隙間から針金等の不正具を挿入して行われる不正行為を防止するためのもので、前面枠３を機枠２に対して閉鎖した際に係止片５０が機枠２の後面に係止して、前面枠３を撓ませようとしても機枠２と前面枠３との間に隙間ができないようにしている。
【００２５】
前記施錠装置５は、図８及び図９に示すように前面枠３の後面自由端側に固設されるＬ字状の縦長の基板５１と、基板５１から前面枠３の前面側に露呈するように取付けられるシリンダ錠５２と、シリンダ錠５２の錠軸に固着されるカム板５３と、カム板５３に連動して基板５１の長手方向に沿って摺動する摺動杆とで構成されている。本実施例では摺動杆としては、前面枠３を開閉するための施錠杆５４と透明板扉枠４を開閉するための作動杆５５とを備え、弾性部材としてのスプリング５６，５７によって施錠杆５４又は作動杆５５をそれぞれ施錠方向に付勢している。基板５１は、前面枠３に固着する取付板５１ａと施錠杆５４及び作動杆５５を装着する支持板５１ｂとを略直角に曲折して一体に成形される。
【００２６】
前記施錠杆５４は長板状に形成され、その上下部に機枠２に設けられる受金具１４に係止する下向き鉤状の機枠用突片５８を後方に突出して一体に形成し、機枠用突片５８の上部に機構板１２の係合孔３４に係脱する下向き鉤状の機構板用突片５９が設けられ、施錠杆５４のほぼ中間部にカム板５３が係合する係止段部６２が形成され、その上方に施錠杆５４を前面枠３の後面側で手で摺動させる操作部６３が後方に折曲して設けられている。そして、基板５１と施錠杆５４との間にスプリング５６を設け、施錠杆５４を常に機枠用突片５８及び機構板用突片５９の施錠方向である下方へ付勢するように、支持板５１ｂの外側に摺動自在に設けられている。機構板用突片５９は、基板５１に形成されるガイド長孔６４と施錠杆５４に形成される遊挿長孔６５とに軸ピンとしての頭付ピン６６を介して設けられ、スプリング６７により機枠用突片５８と同じ係止方向に付勢している。常態では、図１４に示すように、ガイド長孔６４の下端に頭付ピン６６が当接すると共に遊挿長孔６５の上端に該頭付ピン６６が当接するように設けられている。また、機枠用突片５８は、受金具１４との係合時に係合し易くするガイド傾斜面を設けた三角形状の先端部の後端に係合凹部５８ａを下向きとした鉤状に形成される。なお、機枠用突片５８，５８は、施錠杆５４に一体に設けることなく、別体に形成してスポット溶接等により施錠杆５４に一体的に固着するようにしてもよい。さらに、機枠用突片５８は、機構板用突片５９と同じように施錠杆５４に軸支して回動自在に設けるようにしてもよい。
【００２７】
また、前記作動杆５５は帯状金属により形成され、図９に示すようにその上下に位置して、透明板扉枠４の係止孔２０に係止する先端が上向き鉤状の扉枠用突片６０が前方に突出して形成され、扉枠用突片６０の上下に位置して平面コ字型に屈曲し遊技盤１０の係受部２８に係止する係止手段として先端が上向き鉤状の遊技盤用突片６１が前方に突出して形成され、右側枠１１ｄの切欠き開口２４から設置領域２２内に臨ませている。扉枠用突片６０及び遊技盤用突片６１は該扉枠用突片６０及び遊技盤用突片６１の突出方向に対して交差する。本実施例ではほぼ直交する係止部６０ａ，６１ａを有しており、その係止部６０ａ，６１ａの長さを異ならせることにより、扉枠用突片６０及び遊技盤用突片６１が透明板扉枠４及び遊技盤１０に係止する係止量が異なるように設定している。この実施例において、遊技盤用突片６１の係止部６１ａの長さが扉枠用突片６０の係止部６０ａの長さより長くなるようにしている。また、扉枠用突片６０と遊技盤用突片６１とはそれぞれ連動するが、透明板扉枠４の係止が解除されても、遊技盤１０の係止は解除されないようにしている。ここでいう「係止量」とは、係止部６０ａ，６１ａと係止孔２０，係受部２８との重なり度合いを示し、係止部６０ａ，６１ａが係止孔２０，係受部２８とどの程度の範囲で係合しているかを意味する。そして、作動杆５５のほぼ中央にカム板５３が係合する凹欠係止部６８が形成され、その上方に作動杆５５を後方から手で操作する操作レバー６９が形成されており、弾性部材としてのスプリング５７により施錠方向である上方に付勢して、支持板５１ｂの外側に摺動自在に設けられている。遊技盤用突片６１は、先端を遊技盤１０の装着時に係受部２８に係合し易くするガイド部７０としてテーパー状に形成し、その先端部の後端に遊技盤１０の前面に当接する係止部６１ａを有する上向き鉤状に形成されている。なお、遊技盤保持枠１１の支持部２３と遊技盤用突片６１の係止部６１ａとの間隔を遊技盤１０の厚みより大きく設定し、遊技盤１０が支持片２３と係止部６１ａとの間に僅かに遊びを持たせて保持される。この遊びによって、シリンダ錠５２の解錠操作により作動杆５５を摺動させる際に、係止部６１ａと遊技盤１０との接触摩擦が少なくなり、解錠操作をしやすくすることができる。また、上方に位置する遊技盤用突片６１にはガイド部７０が面状に屈曲して設けられ、このガイド面を操作片７１として作動杆５５を前面側から操作し得るようにしている。このように、ガイド部７０を面状に形成することで、遊技盤１０の装着時に遊技盤１０の係受部２８との接触面積が多くなり、ガイド部７０と接触する係受部２８が部分的に摩耗することなく、遊技盤１０によって確実に作動杆５５を作動させ、係受部２８に遊技盤用突片６１を係合しやすくすることができる。また、作動杆５５を前面側から操作する操作片又は操作レバーを遊技盤用突片６１と別途設けるようにしてもよい。なお、実施例において遊技盤用突片６１を上下に複数設けるようにしたが、設ける数に限定されるものではなく１ヶ所で遊技盤１０を係止固定するようにしてもよい。
【００２８】
前記シリンダ錠５２は、基板５１の取付板５１ａに開設した透孔に挿通しフランジ部５２ａをビス着して基板５１に固定され、フランジ部５２ａにカム板５３の回動を規制する規制手段としてストッパ７２を突設している。そして、前記カム板５３は、前記施錠杆５４の係止段部６２に係止する前面枠解錠爪７３と前記作動杆５５の凹欠係止部６８に係止する扉枠解錠爪７４とを有し、鍵Ｋの操作により操作力を施錠杆５４又は作動杆５５に伝達して、機枠用突片５８又は扉枠用突片６０を解錠方向に摺動させる。このとき、鍵Ｋの操作によってシリンダ錠５２を回動させても、カム板５３がストッパ７２，７２により回動規制されることにより機構板１２及び遊技盤１０の係合は解除されることはない。機構板用突片５９は、施錠杆５４を手で摺動操作することにより、係合孔３４との係合を解除して機構板１２を開放し得るようにしている。また、遊技盤用突片６１は、作動杆５５を手で摺動操作することにより、係受部２８との係合を解除して遊技盤１０を遊技盤保持枠１１から取外し得るようにしている。なお、実施例において施錠杆５４を施錠方向に付勢するスプリング５６と作動杆５５を施錠方向に付勢するスプリング５７とを別途設けるようにしたが、施錠杆５４及び作動杆５５をそれぞれ施錠方向と反対方向への移動を規制する阻止片を基板５１に設け、施錠杆５４及び作動杆５５を互いに施錠方向に付勢するように、例えばスプリングの一端を施錠杆５４に固着し他端を作動杆５５に固着するようにして、１つの弾性部材を共有させることによって部品点数を減らすことも可能である。
【００２９】
次に、上記構成の施錠装置５による前面枠３及び透明板扉枠４の施錠作用について説明する。先ず、透明板扉枠４を前面枠３に対して閉鎖施錠するには、透明板扉枠４の自由端を前面枠３側に押すと、該透明板扉枠４の係止孔２０が扉枠用突片６０の先端傾斜部に当接して、スプリング５７の付勢に抗して作動杆５５を下動させる。そして、前記扉枠用突片６０がスプリング５７の復帰弾性により係止孔２０に係合することで、図１２に示すように透明板扉枠４が前面枠３に対して確実に閉鎖状態を保持される。また、前面枠３を機枠２に対して閉鎖施錠するには、前面枠３の自由端を機枠２側に押すと、上下機枠用突片５８，５８が機枠２の受金具１４，１４に当接して、スプリング５６の付勢に抗して施錠杆５４を上動させる。そして、前記機枠用突片５８，５８がスプリング５６の復帰弾性により受金具１４，１４に係合することで、図１３に示すように前面枠３の開放側が機枠２にほぼ密着状に閉塞保持される。
【００３０】
次に、前記施錠装置５の解錠操作について説明する。まず前面枠３を解錠するには、鍵Ｋの解錠操作によりカム板５３を図１１（イ）矢印方向に回動させると、前面枠解錠爪７３が施錠杆５４の係止段部６２に係止して、カム板５３の操作力をスプリング５６の付勢に抗して施錠杆５４に伝達して上下機枠用突片５８，５８を上方に摺動させる。すると、図１３鎖線に示すように上下機枠用突片５８，５８と受金具１４，１４との係合が解除されて、前面枠３を簡単に開放させることができる。このとき、カム板５３はストッパ７２に当接してそれ以上の回動が阻止され、施錠杆５４は機枠用突片５８の解錠範囲つまり遊挿長孔６５の範囲内を上動するだけであり、遊挿長孔６５の下端で頭付ピン６６を上動させても機構板用突片５９を上動させることはなく、機構板用突片５９と係合孔３４との係合が解除して無用に機構板１２を開放させることはない。また、透明板扉枠４を解錠操作するには、鍵Ｋの解錠操作によりカム板５３を図１１（ロ）矢印方向（前記前面枠３の解錠方向と反対方向）に回動させると、扉枠解錠爪７４が作動杆５５の凹欠係止部６８に係止して、カム板５３の操作力をスプリング５７の付勢に抗して作動杆５５に伝達して扉枠用突片６０を下方に摺動させる。すると、図１２鎖線に示すように扉枠用突片６０と係止孔２０との係合が解除されて、透明板扉枠４を簡単に開放することができる。このとき、遊技盤用突片６１も連動するが、カム板５３はストッパ７２に当接してそれ以上の回動が阻止され、作動杆５５はそれ以上摺動することはなく、扉枠用突片６０の係止部６０ａより遊技盤用突片６１の係止部６１ａの係止量を大きくしているため、遊技盤１０との係合が解除されることはない。
【００３１】
次に、機構板１２の自由端側の施錠及び解錠操作について説明する。機構板１２がヒンジ具１３により開閉自在に装着された状態で、機構板１２を遊技盤１０に密着させるように自由端側を閉鎖すると、下向き鉤状の機構板用突片５９の先端傾斜辺が係合孔２０に当接し、さらに機構板１２を遊技盤１０側に押付けると、スプリング５６，６７の付勢に抗して前記傾斜辺により機構板用突片５９がガイド長孔６４に沿って上動する。このとき、頭付ピン６６が遊挿長孔６５の上端に位置していることから施錠杆５４も同時に上動し、機枠用突片５９の解錠範囲を越して上動するが、機構板１２の開閉は、図１４に示すように前面枠３を開放した状態で行うため、施錠杆５４が上動することにより機枠用突片５８が上動しても何等問題となることはない。そして、機構板１２が遊技盤１０に密着状態になると、機構板用突片５９がスプリング５６，６７の復帰弾性により係合孔３４に係合して機構板１２が遊技機１０の裏面に密着固定される。
【００３２】
また、前記機構板１２を開放させるには、先ず前面枠３をシリンダ錠５２の解錠操作により開放して、前面枠３の後方に位置する施錠杆５４の操作部６３を操作して、施錠杆５４をスプリング５６，６７の付勢に抗して解錠方向（実施例において上方向）に摺動させると、図１４鎖線に示すように遊挿長孔６５の下端が頭付ピン６６に当接して機構板用突片５９を上動させる。すると、機構板用突片５９と係合孔３４との係合が上下同時に解除され、その状態で機構板１２を開放させることができる。
【００３３】
次に、遊技盤１０の装着について説明する。遊技盤１０を遊技盤保持枠１１に装着するには、透明板扉枠４を開放した状態で、遊技盤保持枠１１の前面側から遊技盤１０の左側方を設置領域２２に臨ませて支持片２３と弾性片４８間の保持部７５に挿入させる。このとき、図６に示すように弾性片４８の先端が屈曲片４７より突出することなく、屈曲片４７内に位置して傾斜面に形成されていることによって、遊技盤１０の側端で弾性片４８を保持部７５の奥方に押し込むことなく遊技盤１０をガイドして、支持片２３と弾性片４８間にスムーズに嵌挿させることができ、弾性片４８によって遊技盤１０の一端を保持部７５に確実に押圧固定することができる。そして、遊技盤１０の右側方を設置領域２２に収納させるように押し込むと、凹欠きした係受部２８の端部が遊技盤用突片６１のテーパー状のガイド部７０に接触することで、作動杆５５がスプリング５７の付勢に抗して遊技盤用突片６１と共に下動する。そして、遊技盤１０の後面が支持片２３に当接するとスプリング５７の付勢により作動杆５５が復帰し、遊技盤用突片６１の係止部６１ａが係受部２８の端部に係合して遊技盤１０が遊技盤保持枠１１に簡単に装着される。このとき、作動杆５５は扉枠用突片６０の解錠範囲を越して下動するが、透明板扉枠４はすでに開放されているので何ら影響はない。そして、透明板扉枠４を閉じると、透明板扉枠４に設けられた押え部材２１が遊技盤１０の表面を弾力的に押圧することで、遊技盤１０が遊技盤保持枠１１に確固と保持される。
【００３４】
次に、遊技盤１０を遊技盤保持枠１１から取外すには、まず鍵Ｋによりシリンダ錠５２を回動して透明板扉枠４を解錠すると、押え部材２１の弾発力により透明板扉枠４の自由端が開放する。このシリンダ錠５２の解錠操作により、同時に遊技盤用突片６１も下動するが、扉枠用突片６０の係止部６０ａの係止量より遊技盤用突片６１の係止部６１ａの係止量の方が大きく設定されているため、遊技盤用突片６１と遊技盤１０の係受部２８との係合が解除されることはなく、無用に遊技盤保持枠１１から外れることはない。そして、透明板扉枠４の開放状態で操作片７１を操作して作動杆５５を下動させると、遊技盤用突片６１が連動して係受部２８との係止を解除する。この状態で、遊技盤１０の右端を手前に引き出して、遊技盤１０の左端を支持片２３と弾性片４８間の保持部７５から引き抜いて遊技盤１０を遊技盤保持枠１１から取外すことができる。なお、この実施例においてシリンダ錠５２の回動量をストッパ７２により規制し、作動杆５５が扉枠用突片６０の解錠範囲を移動するようにしたが、ストッパ７２による回動規制をなくして、透明板扉枠４を解錠させた後にさらにシリンダ錠５２を回動することにより遊技盤１０の係止を解除させることも可能である。シリンダ錠５２を同方向に段階的に回動するようにして透明板扉枠４と遊技盤１０とを解除し得るようにする際には、ストッパ７２に替えて解錠確認突起を設け、透明板扉枠４の解錠時にカム板５３が突起に接触して一旦抵抗となり、一気に遊技盤１０を解錠しないようにするのが好ましい。また、透明板扉枠４の裏面から遊技盤用突片６１の下方に位置するように突出する規制片を設けて遊技盤用突片６１の下動を規制するようにしてもよく、透明板扉枠４が閉鎖状態で規制片が遊技盤用突片６１の下方に臨み、作動杆５５が透明板扉枠４の解錠範囲以上に摺動するのを阻止し、透明板扉枠４の開放されることによってその規制が解除され、シリンダ錠５２によって遊技盤用突片６１の解錠操作ができるようにすることも可能である。この規制片に前記した遊技盤１０を押圧する押え部材２１の機能を付加するようにしてもよい。
【００３５】
このように、遊技盤１０を遊技盤保持枠１１に保持させる係止手段を透明板扉枠４等の施錠装置５に設けるようにしたので、遊技盤１０を固定する固定具等の部品点数を減らすことができ、コストの低減化を図ることができる。また、遊技盤用突片６１の先端をテーパー状のガイド部７０に形成することで、遊技盤１０を遊技盤設置領域２２に押し込むだけで簡単に装着することができ、遊技盤１０を取付ける作業性が向上する。さらに、遊技盤用突片６１を遊技盤保持枠１１の端部に位置して設けることができるので場所をとらず、遊技領域１０ａを広くすることが可能となり、近年遊技の興趣を向上させるために望まれる表示装置の大型化等に対応することができる。
【００３６】
なお、実施例において、遊技盤１０の一端を支持片２３と弾性片４８間の保持部７５に挟着保持するようにしたが、その固定手段に限定されるものではなく、一側を回動自在に軸支して他側を前記実施例に示した遊技盤用突片６１により係止するようにしてもよい。このとき、機構板１２のヒンジ具でも説明したが、遊技盤１０を回動自在に装着する際に軸ピンの軸線が軸孔内に位置するように位置決めするガイド部を設け、装着作業を効率よくさせるのがよい。また、一側は従来の遊技盤固定具により取付けるようにしてもよく、その際先に遊技盤用突片６１で遊技盤１０の一側を係止することで、遊技盤用突片６１が仮止の役割をなすことになり遊技盤１０の取付作業が容易となる。さらに、押え部材２１又は遊技盤用突片６１が破損した場合に備えて、予め遊技盤固定具が装着できるように遊技盤保持枠１１に取付部を形成しておくようにしてもよい。
【００３７】
また、図１６及び図１７は遊技盤用突片６１の係止部６１ａを板状の係止面として形成し、その係止面に遊技盤１０の前面を押圧すると共に遊技盤１０との接触摩擦抵抗を軽減する軽摩擦手段を設けた実施例を示している。具体的には軽摩擦手段として支持ローラ７６を設けており、係止面のほぼ中央を開口して支持ローラ７６の軸受片７８を起立させ、軸受片７８に支持ローラ７６を遊技盤用突片６１の摺動方向に回転自在に軸支している。支持ローラ７６は樹脂性であっても金属製であってもよい。このように、係止面６１ａに支持ローラ７６を設けることで遊技盤１０を確実に設置領域２２に押圧係止することができると共に、鍵により透明板扉枠４を開放操作する際にも、遊技盤１０との接触抵抗を小さくすることができる。なお、遊技盤用突片６１と遊技盤１０との係合時の支持ローラ７６の接触位置、つまり係受部２８の端部から支持ローラ７６の接触位置までの距離は、透明板扉枠４の解錠操作範囲より大きく設定され、透明板扉枠４を解錠しても支持ローラ７６が係受部２８から外れないように位置するように設定している。このため、透明板扉枠４の解錠操作に負荷をかけることなくスムーズに行うことができる。また、支持ローラ７６にかえて、軽摩擦手段として係止面６１ａにベアリングを設けるようにしても、遊技盤１０との接触抵抗を小さくすることができ、支持ローラ７６同様の効果を奏することができる。
【００３８】
なお、実施例において、遊技盤用突片６１と扉枠用突片６０とを作動杆５５に一体的に設け、係止部６０ａ，６１ａの係止方向を同一方向としたが、扉枠用突片６０の係止方向を遊技盤用突片６１の係止方向と逆方向となるようにしてもよく、基板５１に対して扉枠用突片６０の中間部を軸支して上下方向に回動自在に設け、扉枠用突片６０の一端を作動杆５５に軸支することで、作動杆５５の同一方向の摺動で係止部６０ａ，６１ａの係止方向を逆方向にすることができる。つまり、作動杆５５を可動させると扉枠用突片６０は上向き回動して透明板扉枠４の係止孔２０との係合を解除し、さらに、作動杆５５を下動させることにより遊技盤１０と遊技盤用突片６１との係合を解除することができる。また、扉枠用突片６０を回動自在に設けることで、その軸支位置を変えることにより扉枠用突片６０の回動量を調整することができ、作動杆５５の僅かな移動量で係止部６０ａを多く可動させることができる。そのため、遊技盤用突片６１の係止部６１ａを扉枠用突片６０の係止部６０ａの解除移動量より僅かに大きくすればよく、遊技盤用突片６１をコンパクトにすることができる。
【００３９】
また、扉枠用突片６０の係止部６０ａと遊技盤用突片６１の係止部６１ａの長さを異ならせることにより係止量を異ならせ、透明板扉枠４が遊技盤１０より先に係合が解除されるようにしたが、扉枠用突片６０及び遊技盤用突片６１の係止部６０ａ，６１ａを同一長さに形成し、遊技盤用突片６１の係止部６１ａが係止し得る遊技盤１０の係受部２８の長さを扉枠用突片６０の係止部６０ａが係止し得る透明板扉枠４の係止孔２０の長さより長く形成しても、それぞれの係止量を異ならせることができ透明板扉枠４が先に解錠されその後に遊技盤１０の係合が解除させることができる。その際、扉枠用突片６０の係止部６０ａが所定以上に係止しないように扉枠用突片６０自体を規制するようにしてもよく、好ましくは係止孔２０に係止部６０ａの係止量を規制する段状の規制部等の規制手段を設け、所定以上に係止しないようにするのがよい。
【００４０】
なお、前記実施例において、遊技盤１０をパチンコ機１の前面側から装着するようにしたが、遊技盤保持枠１１の後面側から装着することも可能である。このとき、支持片２３は遊技盤設置領域２２の前面側に設けられ、遊技盤用突片６１は、パチンコ機１の後方に突出するように設けて、遊技盤１０の後面を係止するようにすればよい。ただし、この場合遊技盤１０を着脱するためには、前面枠３を開放してから作動杆５５を操作することになり、すると透明板扉枠４が不必要に開放してしまうことになるが、操作性に問題となることはない。
【００４１】
また、不必要に透明板扉枠４が開放することなく、遊技盤１０をパチンコ機１の後面側から装着するには、遊技盤用突片６１を機枠２に係止する施錠杆５４に設けるようにすればよい。このとき、機構板用突片５９は施錠杆５４と独立して別途設けるか図１８に示すように作動杆５５に設けるのがよい。なお、前記実施例と同じ構成には同一符号を付して説明する。この実施例の場合、機構板用突片５９及びは扉枠用突片６０は作動杆５５に長孔７７を介して軸支され、機構板用突片５９は長孔７７の下端に位置して扉枠用突片６０は長孔７７の上端に位置しており、互いに係止方向の向きを逆方向としている。また、遊技盤用突片６１は、平面鉤状に後方に突出して機枠用突片５８と同様に下向き鉤状に設けられる。
【００４２】
シリンダ錠５２の解錠操作によりカム板５３を図１１（イ）矢印方向に回動させると、施錠杆５４が摺動して前面枠３が開放される。このとき、遊技盤用突片６１の係止部６１ａの係止量が機枠用突片５８の係止部としての係合凹部５８ａの係止量より大きく形成されているため、遊技盤用突片６１と遊技盤１０の係合が外れることはない。また、シリンダ錠５２の解錠操作によりカム板５３を図１１（ロ）矢印方向に回動させると、作動杆５５が摺動して扉枠用突片６０を作用させ透明板扉枠４が開放される。このとき、機構板用突片５９は長孔７７の下端に位置しているため、作動杆５５が下動しても長孔７７内に留まり機構板用突片５９は可動しない。
【００４３】
そして、前面枠３を開放した状態で、作動杆５５の操作レバー６９を操作して作動杆５５を上動させると、機構板用突片５９が長孔７７の下端により持ち上げられ上動し、機構板１２の係合孔３４との係合を解除し機構板１２が開放される。この状態で、操作部６３を操作して施錠杆５４を上動させると遊技盤用突片６１が上動して遊技盤１０の係受部２８との係合を解除し、遊技盤１０を設置領域２２の後面側から外すことができる。
【００４４】
なお、実施例において、透明板扉枠４用の作動杆５４と前面枠３用の施錠杆５５の２本の摺動杆を設けるようにしたが、１本の摺動杆に、機枠用突片５８と機構板用突片５９と扉枠用突片６０と遊技盤用突片６１とを設けることも可能である。このとき、機枠用突片５８と機構板用突片５９とを同一方向に摺動可能とし、扉枠用突片６０と遊技盤用突片６１とを機枠用突片５８と機構板用突片５９と逆方向に摺動し得るようにするのが好ましい。その際に、前記したように、機枠用突片５８の係止量は機構板用突片５９の係止量より小さく設定され、扉枠用突片６０の係止量は遊技盤用突片６１の係止量より小さく設定される。このように設定することで、鍵Ｋでシリンダ錠５２を操作してもむやみに機構板１２や遊技盤１０が開放或いは外れたりすることない。
【００４５】
また、施錠装置５に前記板状部材３８の開放端を施錠する施錠具を設けても、上部球受皿７を備えた前板６の施錠具を設けるようにしてもよい。このように、施錠装置５にパチンコ機１に開閉自在に装着される扉体の施錠具を一括して設けることで、組付け工程を簡素化することができ、スペースの有効利用が図られる。
【図面の簡単な説明】
【００４６】
【図１】パチンコ機の正面図である。
【図２】パチンコ機の裏面図である。
【図３】前面枠を開放した状態を示す裏面斜視図である。
【図４】透明板扉枠を開放し遊技盤を外した状態の斜視図である。
【図５】機構板のヒンジ側の要部斜視図である。
【図６】図５の要部断面図である。
【図７】ヒンジ具の分解斜視図である。
【図８】施錠装置の斜視図である。
【図９】施錠装置の分解斜視図である。
【図１０】施錠装置を示すパチンコ機の要部平断面図である。
【図１１】（イ），（ロ）はカム板の作用説明図である。
【図１２】透明板扉枠の解錠を示す作用説明図である。
【図１３】前面枠の解錠を示す作用説明図である。
【図１４】機構板の係合解除を示す作用説明図である。
【図１５】遊技盤の係合解除を示す作用説明図である。
【図１６】遊技盤用突片の他の実施例を示す斜視図である。
【図１７】図１６の遊技盤用突片の係合を示す断面図である。
【図１８】施錠装置の他の実施例を示す分解斜視図である。
【符号の説明】
【００４７】
１                  パチンコ機
２                  機枠
３                  前面枠
４                  透明板扉枠
５                  施錠装置
１０                遊技盤
１１                遊技盤保持枠
２８                係受部
２０                係止孔（係受部）
２３                支持片（支持部）
５１                基板
５２                シリンダ錠
５５                作動杆（摺動杆）
６０                扉枠用突片
６１                遊技盤用突片
【図１】
2005287838.tif 000003
【図２】
2005287838.tif 000004
【図３】
2005287838.tif 000005
【図４】
2005287838.tif 000006
【図５】
2005287838.tif 000007
【図６】
2005287838.tif 000008
【図７】
2005287838.tif 000009
【図８】
2005287838.tif 000010
【図９】
2005287838.tif 000011
【図１０】
2005287838.tif 000012
【図１１】
2005287838.tif 000013
【図１２】
2005287838.tif 000014
【図１３】
2005287838.tif 000015
【図１４】
2005287838.tif 000016
【図１５】
2005287838.tif 000017
【図１６】
2005287838.tif 000018
【図１７】
2005287838.tif 000019
【図１８】
2005287838.tif 000020